(57)【要約】【課題】  本発明は、撮影に使用される閃光装置およびこの閃光装置を備えたカメラシステムに関し、アクセサリーの数を無駄に増大することなく、撮影時の駆動音が記録（録音）されるのを有効に防止することを目的とする。【解決手段】  本発明の閃光装置は、被写体への発光を行う発光部と、音を電気信号として検出するマイク部とを有することを特徴とする。  本発明のカメラシステムは、カメラと前記カメラに着脱可能に装着される閃光装置とを備えたカメラシステムにおいて、前記閃光装置は、被写体への発光を行う発光部と、集音角度を変更可能とされ音を電気信号として検出するマイク部と、前記カメラとの信号伝達を行う信号伝達部とを備え、前記カメラからの信号に応じて前記集音角度を変更することを特徴とする。【選択図】      図１
2006064945.tif 000002
【特許請求の範囲】
【請求項１】
被写体への発光を行う発光部と、
音を電気信号として検出するマイク部と、
を有することを特徴とする閃光装置。
【請求項２】
請求項１記載の閃光装置において、
前記マイク部は、集音角度を変更可能とされていることを特徴とする閃光装置。
【請求項３】
請求項１または請求項２記載の閃光装置において、
カメラ側に固定される固定部と、前記固定部に対して回動可能に配置される回動部とを備え、前記回動部に前記マイク部を配置してなることを特徴とする閃光装置。
【請求項４】
請求項３記載の閃光装置において、
前記回動部に前記発光部および前記マイク部が同一方向を向いて配置され、前記発光部が撮影者側に向いている時に前記発光部の発光を禁止する発光禁止手段を有することを特徴とする閃光装置。
【請求項５】
カメラと前記カメラに着脱可能に装着される閃光装置とを備えたカメラシステムにおいて、
前記閃光装置は、
被写体への発光を行う発光部と、
集音角度を変更可能とされ音を電気信号として検出するマイク部と、
前記カメラとの信号伝達を行う信号伝達部とを備え、
前記カメラからの信号に応じて前記集音角度を変更することを特徴とするカメラシステム。
【請求項６】
請求項５記載のカメラシステムにおいて、
前記発光部は、発光角度を変更可能とされていることを特徴とするカメラシステム。
【請求項７】
請求項５または請求項６記載のカメラシステムにおいて、
前記カメラからの信号は、撮影レンズのズーム信号であり、前記撮影レンズが広角側になるに従い前記集音角度を大きくすることを特徴とするカメラシステム。
【請求項８】
請求項５または請求項６記載のカメラシステムにおいて、
前記カメラからの信号は、セルフタイマーモード信号であり、この信号により前記集音角度を予め定められた所定の集音角度にすることを特徴とするカメラシステム。
【請求項９】
請求項５または請求項６記載のカメラシステムにおいて、
前記カメラからの信号は、マクロ撮影モード信号であり、この信号により前記集音角度を予め定められた所定の集音角度にすることを特徴とするカメラシステム。
【請求項１０】
請求項５または請求項６記載のカメラシステムにおいて、
前記カメラからの信号は、音声メモモード信号であり、この信号により前記集音角度を予め定められた所定の集音角度にすることを特徴とするカメラシステム。
【発明の詳細な説明】
【技術分野】
【０００１】
本発明は、撮影に使用される閃光装置およびこの閃光装置を備えたカメラシステムに関する。
【背景技術】
【０００２】
近時、カメラの高機能化に伴い、静止画および動画を撮影可能なカメラが開発されている。そして、このようなカメラでは、動画の撮影時にマイクにより音声記録が可能になっている。
なお、従来、発光角度を変更可能にした閃光装置として、例えば、特開平９−３３９９２号公報に開示されるものが知られている。
【０００３】
また、集音角度を変更可能にしたマイクロホンとして、例えば、特開平５−３３６５８８号公報，特開２０００−１９７１８０号公報に開示されるものが知られている。
【特許文献１】特開平９−３３９９２号公報
【特許文献２】特開平５−３３６５８８号公報
【特許文献３】特開２０００−１９７１８０号公報
【発明の開示】
【発明が解決しようとする課題】
【０００４】
しかしながら、近時、カメラの小型化により、マイクとズーム機構，フォーカス機構等の駆動音の発生源との距離が近くなり、動画の撮影時の音の記録にこれらの駆動音が混入しやすくなっている。また、駆動部の高速化により駆動音のレベルも増大している。
そこで、外付けマイクユニットをカメラ本体に取り付ける構造とし、駆動音の発生源とマイクとの距離を離すことが考えられるが、マイクユニットは静止画の撮影時には不要でありアクセサリーの数が無駄に増大することになる。
【０００５】
本発明は、かかる従来の問題を解決するためになされたもので、アクセサリーの数を無駄に増大することなく、撮影時の駆動音が記録（録音）されるのを有効に防止することができる閃光装置およびカメラシステムを提供することを目的とする。
【課題を解決するための手段】
【０００６】
請求項１の閃光装置は、被写体への発光を行う発光部と、音を電気信号として検出するマイク部とを有することを特徴とする。
請求項２の閃光装置は、請求項１記載の閃光装置において、前記マイク部は、集音角度を変更可能とされていることを特徴とする。
請求項３の閃光装置は、請求項１または請求項２記載の閃光装置において、カメラ側に固定される固定部と、前記固定部に対して回動可能に配置される回動部とを備え、前記回動部に前記マイク部を配置してなることを特徴とする。
【０００７】
請求項４の閃光装置は、請求項３記載の閃光装置において、前記回動部に前記発光部および前記マイク部が同一方向を向いて配置され、前記発光部が撮影者側に向いている時に前記発光部の発光を禁止する発光禁止手段を有することを特徴とする。
請求項５のカメラシステムは、カメラと前記カメラに着脱可能に装着される閃光装置とを備えたカメラシステムにおいて、前記閃光装置は、被写体への発光を行う発光部と、集音角度を変更可能とされ音を電気信号として検出するマイク部と、前記カメラとの信号伝達を行う信号伝達部とを備え、前記カメラからの信号に応じて前記集音角度を変更することを特徴とする。
【０００８】
請求項６のカメラシステムは、請求項５記載のカメラシステムにおいて、前記発光部は、発光角度を変更可能とされていることを特徴とする。
請求項７のカメラシステムは、請求項５または請求項６記載のカメラシステムにおいて、前記カメラからの信号は、撮影レンズのズーム信号であり、前記撮影レンズが広角側になるに従い前記集音角度を大きくすることを特徴とする。
【０００９】
請求項８のカメラシステムは、請求項５または請求項６記載のカメラシステムにおいて、前記カメラからの信号は、セルフタイマーモード信号であり、この信号により前記集音角度を予め定められた所定の集音角度にすることを特徴とする。
請求項９のカメラシステムは、請求項５または請求項６記載のカメラシステムにおいて、前記カメラからの信号は、マクロ撮影モード信号であり、この信号により前記集音角度を予め定められた所定の集音角度にすることを特徴とする。
【００１０】
請求項１０のカメラシステムは、請求項５または請求項６記載のカメラシステムにおいて、前記カメラからの信号は、音声メモモード信号であり、この信号により前記集音角度を予め定められた所定の集音角度にすることを特徴とする。
【発明の効果】
【００１１】
本発明の閃光装置では、音を電気信号として検出するマイク部を設けたので、アクセサリーの数を無駄に増大することなく、撮影時の駆動音が録音されるのを有効に防止することができる。
本発明のカメラシステムでは、閃光装置にマイク部を設け、カメラからの信号に応じてマイク部の集音角度を変更するようにしたので、必要な音を最適な状態で録音することができる。
【発明を実施するための最良の形態】
【００１２】
以下、本発明の実施形態を図面を用いて詳細に説明する。
(第１の実施形態)
図１は、本発明の閃光装置の第１の実施形態を示している。
この閃光装置は、装置本体１１の内部に発光部１３，マイク部１５および制御回路１７を有している。
【００１３】
発光部１３は、被写体への発光を行う。この発光部１３は、周知の駆動機構により発光角度を変更可能とされている。すなわち、例えば、モータとギヤーとを用いた駆動機構を発光角度駆動部１９により駆動することによりキセノン管２１とフレネルレンズ２３との間隔を変更して発光角度を変更する。キセノン管２１とフレネルレンズ２３との間隔が小さくなるに従い発光角度が大きくなる。
【００１４】
マイク部１５は、音を電気信号として検出する。このマイク部１５は、周知の手段により、集音角度を変更可能とされている。すなわち、マイク部１５を集音角度駆動部２５により機械的に駆動または電気的に制御することにより集音角度を変更する。機械的に集音角度を変更するマイクロホンとしては、例えば、特開平５−３３６５８８号公報に開示されるものが知られている。また、電気的に集音角度を変更するマイクロホンとしては、例えば、特開２０００−１９７１８０号公報に開示されるものが知られている。
【００１５】
制御回路１７は、後述するカメラ側との信号の授受を行う。そして、発光部１３の発光制御、発光角度駆動部１９，集音角度駆動部２５等の制御を行う。
装置本体１１の下端には、閃光装置をカメラ側に機械的に接続するカメラ接続部２７が設けられている。このカメラ接続部２７の下端には、カメラとの信号伝達を行う信号伝達部２９が設けられている。
【００１６】
図２は、本発明のカメラシステムの第１の実施形態を示している。
このカメラシステムは、カメラ３１と図１に示した閃光装置３３とを有している。
カメラ３１の上面には、閃光装置３３のカメラ接続部２７が取り付けられる取付部３５が設けられている。カメラ接続部２７を取付部３５に取り付けることにより、閃光装置３３とカメラ３１とが一体となる。そして、閃光装置３３の信号伝達部２９とカメラ３１の信号伝達部３７とが接続され、両者間で各種信号の授受が可能になる。
【００１７】
カメラ３１の上面には、電源スイッチ３９およびレリーズスイッチ４１が設けられている。また、カメラ３１の背面には、ズームスイッチ４３，外部表示部４４，スピーカ４６，モード設定スイッチ４５，セルフタイマー設定スイッチ４７およびマクロ撮影設定スイッチ４９が設けられている。
電源スイッチ３９をＯＮにするとカメラ３１が撮影可能状態になり、撮影レンズ５１により被写体像が撮像素子５３に結像される。撮像素子５３に結像された像は、カメラ側制御回路５５により処理されファインダー５７または外部表示部４４に表示される。
【００１８】
ズームスイッチ４３の操作により駆動モータ５９が駆動され、撮影レンズ５１の画角が変化される。
外部表示部４４は、例えば液晶ディスプレイからなり記録媒体６１に記録された画像を再生する。また、スピーカ４６は、記録媒体６１に録音された音声を再生する。
モード設定スイッチ４５は、カメラ３１の動作モードを、静止画撮影モード，動画撮影モードまたは画像再生モードに設定する。
【００１９】
静止画撮影モード時は、レリーズスイッチ４１を押すと予め設定された条件で任意の駒数が撮影される。また、動画撮影モード時は、レリーズスイッチ４１を押すと動画撮影が開始されもう一度押すと終了する。撮影終了後、撮影画像はカメラ側制御回路５５により処理され、記録媒体６１に記録される。
静止画撮影モード時は、被写体が低輝度等の撮影条件によって、カメラ３１から撮影に同期した発光開始信号が、信号伝達部３７，２９を介して閃光装置３３の制御回路１７に伝達され、発光部１３が発光される。また、ズームスイッチ４３の操作に連動して、発光角度駆動部１９が駆動され、発光部１３の発光角度が変化される。
【００２０】
動画撮影モード時は、マイク部１５で検出された音声信号が信号伝達部２９，３７を介してカメラ３１に伝達され、動画の撮影画像と共に記録媒体６１に記録される。また、ズームスイッチ４３の操作に連動して、集音角度駆動部２５が駆動され、マイク部１５の集音角度が変化される。
すなわち、図３に概念的に示すように、被写体Ｓ１が望遠側(例えばカメラ３１から２０ｍの距離)にある時には、カメラ３１の画角に対応してマイク部１５の集音角度θ１が狭く(指向性が鋭く)設定される。また、被写体Ｓ２が広角側(例えばカメラ３１から２ｍの距離)にある時には、カメラ３１の画角に対応してマイク部１５の集音角度θ２が広く(指向性が鈍く)設定される。従って、被写体Ｓ１，Ｓ２の近くの必要な音を最適な状態で録音することができる。
【００２１】
画像再生モード時は、記録媒体６１に記録された画像が再生される。そして、画像が静止画である時には、画像がファインダー５７または外部表示部４４に表示される。また、画像が動画である時には、画像がファインダー５７または外部表示部４４に表示され、同時に記録媒体６１に記録された音声がスピーカ４６から再生される。
セルフタイマー設定スイッチ４７は、撮影モードを、セルフタイマーモードに設定する。
【００２２】
セルフタイマーモードに設定した状態でレリーズスイッチ４１を押すと、静止画撮影モード時は、予め定められた設定時間が経過した時に予め設定された条件で任意の駒数が撮影される。また、動画撮影モード時は、レリーズスイッチ４１を押すと予め定められた設定時間が経過した時に動画撮影が開始され、所定時間経過後に終了する。撮影終了後、撮影画像はカメラ側制御回路５５により処理され、記録媒体６１に記録される。
【００２３】
セルフタイマーモードが設定された静止画撮影モード時は、被写体が低輝度等の撮影条件によって、カメラ３１から撮影に同期した発光開始信号が信号伝達部３７，２９を介して閃光装置３３の制御回路１７に伝達され、発光部１３が発光される。
セルフタイマーモードが設定された動画撮影モード時は、マイク部１５で検出された音声信号が信号伝達部２９，３７を介してカメラ３１に伝達され、動画の撮影画像と共に記録媒体６１に記録される。また、セルフタイマー設定スイッチ４７の操作に連動して、閃光装置３３の集音角度駆動部２５が駆動され、マイク部１５の集音角度が変化される。
【００２４】
すなわち、セルフタイマーモードが設定された動画撮影モード時には、図４に概念的に示すように、通常セルフタイマーモード時に被写体Ｓ３が位置する位置(例えばカメラ３１から３ｍ離れた位置)の音を録音するのに最適な状態となるように、カメラ３１の画角に対応してマイク部１５の集音角度θ３が自動的に設定される。従って、被写体Ｓ３の近くの必要な音を最適な状態で録音することができる。
【００２５】
マクロ撮影設定スイッチ４９は、撮影モードを、マクロ撮影モードに設定する。
マクロ撮影モードを設定した状態でレリーズスイッチ４１を押すと、静止画撮影モード時は予め設定された条件で任意の駒数が撮影される。また、動画撮影モード時は、レリーズスイッチ４１を押すと動画撮影が開始されもう一度押すと終了する。撮影終了後、撮影画像はカメラ側制御回路５５により処理され、記録媒体６１に記録される。
【００２６】
マクロ撮影モードが設定された静止画撮影モード時は、被写体が低輝度等の撮影条件によって、カメラ３１から撮影に同期した発光開始信号が信号伝達部３７，２９を介して閃光装置３３の制御回路１７に伝達され、発光部１３が発光される。また、マクロ撮影設定スイッチ４９の操作に連動して、発光角度駆動部１９が駆動され、発光部１３の発光角度が変化される。
【００２７】
マクロ撮影モードが設定された動画撮影モード時は、マイク部１５で検出された音声信号が信号伝達部２９，３７を介してカメラ３１に伝達され、動画の撮影画像と共に記録媒体６１に記録される。また、マクロ撮影設定スイッチ４９の操作に連動して、集音角度駆動部２５が駆動され、マイク部１５の集音角度が変化される。
すなわち、マクロ撮影モードが設定された動画撮影モード時には、図５に概念的に示すように、通常マクロ撮影モード時に被写体Ｓ４が位置する位置(例えばカメラ３１から０．３ｍ離れた位置)の音を録音するのに最適な状態となるように、カメラ３１の画角に対応してマイク部１５の集音角度θ４が自動的に設定される。従って、被写体Ｓ４の近くの必要な音、例えば、昆虫の羽音等を最適な状態で録音することができる。
【００２８】
なお、この実施形態では、カメラ３１には、内蔵閃光装置６３が設けられている。この内蔵閃光装置６３は、閃光装置３３をカメラ３１に取り付けた場合には、閃光装置３３を優先させて発光させ、発光しないようにカメラ側制御回路５５により制御される。
この実施形態の閃光装置３３では、音を電気信号として検出するマイク部１５を設けたので、アクセサリーの数を無駄に増大することなく、動画の撮影時の駆動音が録音されるのを有効に防止することができる。
【００２９】
また、この実施形態のカメラシステムでは、閃光装置３３にマイク部１５を設け、カメラ３１からの信号に応じてマイク部１５の集音角度を変更するようにしたので、必要な音を最適な状態で録音することができる。
(第２の実施形態)
図６は、本発明の閃光装置の第２の実施形態を示している。
【００３０】
なお、この実施形態において第１の実施形態と同一の部材には、同一の符号を付して詳細な説明を省略する。
この実施形態の閃光装置は、カメラ側に固定される固定部６５と、固定部６５に対して回動可能に配置される回動部６７とを有している。回動部６７には、発光部１３およびマイク部１５が同一方向を向いて配置されている。また、固定部６５には、制御回路１７が配置されている。
【００３１】
そして、固定部６５の上面には、発光部１３が撮影者側に向いている時にＯＮする検出スイッチ６９が設けられている。この検出スイッチ６９は、図７に示すように、発光部１３が撮影者側に向くように回動部６７が回動されると、回動部６７により押圧されＯＮになる。この検出スイッチ６９のＯＮにより信号が制御回路１７に出力され、制御回路１７により、発光部１３の発光が禁止される。
【００３２】
図８は、本発明のカメラシステムの第２の実施形態を示している。
このカメラシステムは、カメラ３１Ａと図７に示した閃光装置３３Ａとを有している。
この実施形態では、カメラ３１Ａには、音声メモ設定スイッチ７１が設けられている。
音声メモ設定スイッチ７１は、録音モードを、音声メモモードに設定する。この音声メモモードは、撮影された静止画に音声でメモを付けるモードである。
【００３３】
すなわち、静止画撮影モードにより静止画を撮影した後に、音声メモモードに設定すると、静止画に対応してマイク部１５から音声メモを録音することが可能になる。そして、この音声メモモード時には、図８に示したように、閃光装置３３Ａの回動部６７を回動して発光部１３が撮影者側に向けられ、音声メモを録音する撮影者の口元が閃光装置３３Ａのマイク部１５の前方近傍に位置する。そこで、この実施形態では、音声メモモード時には、マイク部１５の集音角度が、マイク部１５の前方近傍の音を録音するのに最適な状態になるように自動的に設定される。従って、撮影者の音声を最適な状態で確実に録音することができる。
【００３４】
そして、この実施形態では、制御回路１７により発光部１３の発光が自動的に禁止されるため、誤発光等により撮影者の目に閃光が直接入ることを確実に防止することができる。
(実施形態の補足事項)
以上、本発明を上記の実施形態によって説明してきたが、本発明の技術的範囲は上記の実施形態に限定されるものではなく、例えば、以下のような形態でも良い。
【００３５】
(１)上述した実施形態では、動画撮影モード時には閃光装置３３，３３Ａの発光を停止した例について説明したが、動画撮影モード時に閃光装置３３，３３Ａを連続発光させ、いわゆるムービーライトとして機能させても良い。
(２)上述した実施形態では、発光部１３の発光角度とマイク部１５の集音角度を別々に変更した例について説明したが、例えば、マイク部１５が集音角度を機械的に変更するように構成されている場合には、１個の駆動部で両者を連動させて変更しても良い。この場合には撮影モードによらずズームスイッチ４３の操作により発光角度と集音角度が同時に変化することになる。
【００３６】
(３)上述した実施形態では、静止画撮影モード時に音声メモを行うように構成した例について説明したが、動画撮影モード時に音声メモを行うように構成しても良い。
【図面の簡単な説明】
【００３７】
【図１】本発明の閃光装置の第１の実施形態を示す説明図である。
【図２】本発明のカメラシステムの第１の実施形態を示す説明図である。
【図３】図２のカメラシステムにおけるズームモード時のマイク部の集音角度を示す説明図である。
【図４】図２のカメラシステムにおけるセルフタイマーモード時のマイク部の集音角度を示す説明図である。
【図５】図２のカメラシステムにおけるマクロ撮影モード時のマイク部の集音角度を示す説明図である。
【図６】本発明の閃光装置の第２の実施形態を示す説明図である。
【図７】図６の閃光装置の回動部を回動した状態を示す説明図である。
【図８】本発明のカメラシステムの第２の実施形態を示す説明図である。
【符号の説明】
【００３８】
１１  装置本体
１３  発光部
１５  マイク部
１７  制御回路
１９  発光角度駆動部
２５  集音角度駆動部
２９  信号伝達部
３１，３１Ａ  カメラ
３３，３３Ａ  閃光装置
４３  ズームスイッチ
４５  モード設定スイッチ
４７  セルフタイマー設定スイッチ
４９  マクロ撮影設定スイッチ
５１  撮影レンズ
５３  撮像素子
５５  カメラ側制御回路
６５  固定部
６７  回動部
６９  検出スイッチ
７１  音声メモ設定スイッチ
【図１】
2006064945.tif 000003
【図２】
2006064945.tif 000004
【図３】
2006064945.tif 000005
【図４】
2006064945.tif 000006
【図５】
2006064945.tif 000007
【図６】
2006064945.tif 000008
【図７】
2006064945.tif 000009
【図８】
2006064945.tif 000010